(57)【要約】      （修正有）【課題】太陽電池により消費電力を低減しつつ、子機の周辺照度を把握し、映像の自動補正をおこなうことが可能なインターホン装置を提供する。【解決手段】来訪者を撮像するためのカメラおよび居住者を呼び出す機能を備えたカメラ付き玄関子機と、カメラ付き玄関子機と接続されて用いられ、カメラ付き玄関子機のカメラを表示するモニタおよびカメラ付き玄関子機からの呼び出しに応答する機能を備えた居室親機と、を有するインターホン装置において、カメラ付き玄関子機は、発電のための太陽電池パネルを備え、太陽電池パネルの発電電力量を測定する電力量測定手段と、電力量測定手段で測定した発電電力量を基にカメラ付き玄関子機周辺の照度を測定する照度測定手段とを備える。【選択図】図１
2011030121.tif 000002
【特許請求の範囲】
【請求項１】
来訪者を撮像するためのカメラおよび居住者を呼び出す機能を備えたカメラ付き玄関子機と、前記カメラ付き玄関子機と接続されて用いられ、前記カメラ付き玄関子機の前記カメラを表示するモニタおよび前記カメラ付き玄関子機からの呼び出しに応答する機能を備えた居室親機と、を有するインターホン装置において、
前記カメラ付き玄関子機は、発電のための太陽電池パネルを備え、前記太陽電池パネルの発電電力量を測定する電力量測定手段と、前記電力量測定手段で測定した発電電力量を基に前記カメラ付き玄関子機周辺の照度を測定する照度測定手段とを備えたことを特徴とするインターホン装置。
【請求項２】
前記カメラ付き玄関子機は、前記照度測定手段で測定した照度を基に前記カメラの露光量を補正する露光量補正手段を備えたことを特徴とする請求項１記載のインターホン装置。
【請求項３】
前記太陽電池パネルは、カラーフィルタを備え、前記カラーフィルタにより特定の波長の光による発電電力量を測定する特定波長光電力量測定手段と、前記特定波長光電力量測定手段で測定した発電電力量を基に前記カメラのホワイトバランスを補正するホワイトバランス補正手段とを備えたことを特徴とする請求項１記載のインターホン装置。
【請求項４】
前記カメラ付き玄関子機は、複数の太陽電池パネルを備え、当該太陽電池パネルを前記カメラ付き玄関子機の２方向以上に設置し、前記電力量測定手段にて測定された各太陽電池パネルの発電電力量を基に太陽光の入射方向を測定する太陽光入射方向測定手段を備えたことを特徴とする請求項１記載のインターホン装置。
【請求項５】
前記カメラ付き玄関子機は、前記太陽光入射方向測定手段にて測定された太陽光の入射方向を基に前記カメラの露光量を補正する手段を備えたことを特徴とする請求項４記載のインターホン装置。
【発明の詳細な説明】
【技術分野】
【０００１】
本発明は、インターホン装置に係り、特に、太陽電池パネルを複数備える玄関子機を用いて映像の補正を可能とするインターホン装置に関する。
【背景技術】
【０００２】
従来のインターホン装置は、来訪者の映像がみえにくい場合に、逆光補正ボタンを操作することにより来訪者を撮像しているカメラのシャッターパルスを変化させて見やすくしたものが知られている（例えば、特許文献１）。また、玄関子機に太陽電池を設けることにより待機時の消費電力を低減するだけでなく、呼出操作後においても商用電源から電源供給を受けなくても動作を可能としているものが知られている（例えば、特許文献２）。
このようなインターホン装置によれば、来訪者の映像を確認しやすくすることができるし、消費電力を抑えることも可能である。
【先行技術文献】
【特許文献】
【０００３】
【特許文献１】特開平０７−２４５７５８号公報
【特許文献２】特開２００５−２１７６３７号公報
【発明の開示】
【発明が解決しようとする課題】
【０００４】
しかしながら、従来例のインターホン装置では、逆光補正においては、居住者の判断によりシャッターパルスを変化させることで見やすい映像を得ていたため、居住者にとってはいちいち操作が必要となり面倒であった。
また、玄関子機に取り付けられた太陽電池は、消費電力を低減させるために用いていたが他の用途に用いられることはなかった。
本発明は上記難点を解決するために、太陽電池により消費電力を低減しつつ、当該子機の周辺照度を把握し映像の自動補正をおこなうことが可能なインターホン装置を提供することを目的とするものである。
【課題を解決するための手段】
【０００５】
上記課題を解決するために、請求項１に記載の発明は、来訪者を撮像するためのカメラおよび居住者を呼び出す機能を備えたカメラ付き玄関子機と、カメラ付き玄関子機と接続されて用いられ、カメラ付き玄関子機のカメラを表示するモニタおよびカメラ付き玄関子機からの呼び出しに応答する機能を備えた居室親機と、を有するインターホン装置において、カメラ付き玄関子機は、発電のための太陽電池パネルを備え、太陽電池パネルの発電電力量を測定する電力量測定手段と、電力量測定手段で測定した発電電力量を基にカメラ付き玄関子機周辺の照度を測定する照度測定手段とを備えたことを特徴とする。
請求項２に記載の発明は、請求項１において、カメラ付き玄関子機は、照度測定手段で測定した照度を基にカメラの露光量を補正する露光量補正手段を備えたことを特徴とする。
請求項３に記載の発明は、請求項１において、太陽電池パネルは、カラーフィルタを備え、カラーフィルタにより特定の波長の光による発電電力量を測定する特定波長光電力量測定手段と、特定波長光電力量測定手段で測定した発電電力量をもとにカメラのホワイトバランスを補正するホワイトバランス補正手段とを備えたことを特徴とする。
請求項４に記載の発明は、請求項１において、カメラ付き玄関子機は、複数の太陽電池パネルを備え、当該太陽電池パネルをカメラ付き玄関子機の２方向以上に設置し、電力量測定手段にて測定された各太陽電池パネルの発電電力量を基に太陽光の入射方向を測定する太陽光入射方向測定手段を備えたことを特徴とする。
請求項５に記載の発明は、請求項４において、カメラ付き玄関子機は、太陽光入射方向測定手段にて測定された太陽光の入射方向を基にカメラの露光量を補正する手段を備えたことを特徴とする。
【発明の効果】
【０００６】
請求項１の発明によれば、玄関子機に取り付けた太陽電池パネルの発電電力量により、玄関子機周辺の照度を測定することが可能であり、これをもとに種々の動作をおこなうことができる。
請求項２の発明によれば、請求項１において測定した照度を基にカメラの露光量を補正することができる。
請求項３の発明によれば、特定の波長の光による電力量を基にカメラのホワイトバランスを補正することができる。
請求項４の発明によれば、太陽電池パネルを複数備えることにより、太陽光の入射方向を測定することができるので、玄関子機のカメラに対して、どの方向から太陽光があたっているかを把握することができる。
請求項５の発明によれば、請求項４において測定した太陽光の入射方向をも基にカメラの露光量を補正することができる。
【図面の簡単な説明】
【０００７】
【図１】本実施形態のインターホン装置のブロック図である。
【図２】本実施形態の玄関子機の外観図である。
【発明を実施するための形態】
【０００８】
以下、本発明の好ましい一実施形態を、図面を参照しながら詳細に説明する。
この実施形態によるインターホン装置１は、図１のブロック図に示したように構成される。即ち、インターホン装置１は、来訪者が居住者を呼び出して通話するためのカメラ付き玄関子機１０と、当該カメラ付き玄関子機から伝送されたビデオ信号を受信し、受信したビデオ信号を後述するモニタに映すことができると共に、来訪者と通話することができる居室親機２０とから構成されている。
【０００９】
カメラ付き玄関子機１０は、来訪者が呼び出し操作を行うための呼出釦１０１と、来訪者が居住者と通話するためのマイクロホン１０２、スピーカ１０３と、来訪者を撮像するカメラ１０４と、夜間や低照度時に来訪者を照らす照明用ＬＥＤ１０６と、音声通話を実現するため２線−４線変換を行うためのハイブリッド回路１０７と、カメラ１０４で撮像した映像信号を伝送に適した信号に変調する変調回路１０８と、玄関子機各部の制御を行うための子機ＣＰＵ１０９と、居室親機２０との通信を行うためのデータ伝送回路１１０と、太陽光などの光を受けると起電力を生じ発電する第１太陽電池パネル１１１ａ、第２太陽電池パネル１１１ｂ、第３太陽電池パネル１１１ｃ、第４太陽電池パネル１１１ｄと、逆流防止用ダイオード１１２、発電した電気エネルギーを蓄電するための電気二重層コンデンサ１１３と、電気二重層コンデンサ１１３の充電回路１１４と、蓄電した電気エネルギーを扱い易い直流電圧に変換するＤＣ−ＤＣコンバータ１１５と、伝送線路３０からみた電源のインピーダンスを高めるためのインピーダンスアッパー回路１１６とから構成されている。
【００１０】
なお、第１太陽電池パネル１１１ａは子機上部に、第２太陽電池パネル１１１ｂは子機前面に、第３太陽電池パネル１１１ｃは子機右側面に、第４太陽電池パネル１１１ｄは子機左側面にそれぞれ配置されている。
【００１１】
第１〜４太陽電池パネル１１１ａ〜１１１ｄの第１の機能は、太陽光により発電を行うことで、カメラ付き子機１０の電力を賄うとともに、居室親機２０の待機時電力を賄うためのものである。
【００１２】
第２の機能は、インターホン動作時において、それぞれの太陽電池パネルの発電量により、太陽光の入射方向を子機ＣＰＵ１０９により計算し、被写体の状態と併せて判断して、逆光や低照度時の補正を行う。
第３の機能は、インターホン動作時においては、カラーフィルタを備えたそれぞれの太陽電池パネルの発電量により、子機ＣＰＵ１０９により計算し、被写体の状態と併せて判断して、ホワイトバランスの補正を行う。
【００１３】
居室親機２０は、来訪者の呼出しに応答するための応答釦２０１と、通話を行うためのマイクロホン２０２、スピーカ２０３と、音声通話を実現するため２線−４線変換を行うためのハイブリッド回路２０５と、来訪者を表示するためのモニタ２０４と、映像信号を復調するために復調回路２０６と、応答釦２０１の検出や、居室親機２０の各種制御を行うための親機ＣＰＵ２０７と、カメラ付き玄関子機１０との通信を行うためのデータ伝送回路２０８と、カメラ付き玄関子機１０から給電を受ける際に無極性化するブリッジ回路２０９と、伝送線路３０からみた電源のインピーダンスを高めるためのインピーダンスアッパー回路２１０と、動作時の居室親機２０の電力を賄うためのＡＣ−ＤＣ電源モジュール２１１とで構成される。
【００１４】
また、居室親機２０の親機ＣＰＵ２０７は、カメラ付き玄関子機１０の子機ＣＰＵ１０９から伝送される第１〜第４太陽電池パネル１１１ａ〜ｄのデータから、モニタ２０４の明るさや色合いの補正を行う。
このように構成されたインターホン装置について、以下、動作を説明する。
玄関子機１０に設置された第１〜第４の太陽電池パネル１１１ａ〜１１１ｄは、それぞれ太陽光を得ることにより発電し、充電回路１１４に蓄えられる。当該４つの太陽電池パネルそれぞれでの発電量を子機ＣＰＵ１０９にて測定すると共に、この測定結果に基づいて、玄関子機１０周辺の照度を測定する。このように、玄関子機１０に複数の太陽電池パネルを設置することで、太陽光の入射方向を特定することが可能となる。
【００１５】
この状態において、来訪者が居住者を呼び出すために玄関子機１０の呼出釦１０１を操作すると、子機ＣＰＵ１０９がこれを検出し、呼出信号をデータ伝送回路１１０、伝送線路３０を介して居室親機２０に送信する。居室親機２０では、データ伝送回路２０８を介して親機ＣＰＵ２０７にて受信し、スピーカ２０３から呼出音を放音するよう制御する。
また、玄関子機１０の子機ＣＰＵ１０９の制御により、カメラ１０４が駆動し、変調回路１０８にてカメラ１０４で撮像した映像信号を伝送に適した信号に変調する。変調した映像信号は、伝送線路３０を介して居室親機２０に送信され、復調回路２０６にて映像信号が復調されモニタ２０４に出画される。
【００１６】
このとき、子機ＣＰＵ１０９で測定した各太陽電池パネル方向の照度をもとにカメラ１０４の露光量を補正する。
なお、第１〜第４太陽電池パネル１１１ａ〜ｄがカラーフィルタを有している場合には、子機ＣＰＵ１０９は、特定の波長の光による発電電力量を測定することができ、この発電電力量を基にカメラ１０４のホワイトバランスを補正することができる。
このように補正された映像が居室親機２０のモニタ２０４で表示されるので、この来訪者の映像を確認した居住者が、応答釦２０１を操作すると、その操作を検出した親機ＣＰＵ２０７が玄関子機１０との通話路を形成する。これにより、玄関子機１０のマイク１０２、スピーカ１０３と居室親機のマイク２０２、スピーカ２０３間で通話をおこなうことができる。
【００１７】
なお、待機時において玄関子機１０及び居室親機２０の電力を賄い、通話時、モニタ時等の動作時においては、居室親機２０のＡＣ−ＤＣ電源モジュール２１１からの電力で賄う。
ここで、本実施形態では、複数枚の太陽電池パネルを使用する例について説明したが、これに限られず、一枚のパネルでパネル内のセルを分割しているものであってもよい。
また、本実施例では、４つの太陽電池パネルを玄関子機１０の上部、前面、右側面、左側面に配置しているが、４つに限るものではない。太陽電池パネルの配置も前述の配置に限るものではなく設置環境により変更すればよい。
また、本実施形態では、補正を撮像を行うカメラ側にて行う例について説明したが、これに限らず、映像を表示出力するモニタ側で行ってもよい。
【符号の説明】
【００１８】
１・・・インターホン装置
１０・・・カメラ付き玄関子機
１０９・・・子機ＣＰＵ（電力量測定手段、照度測定手段）
１１１ａ〜１１１ｄ・・・太陽電池パネル
２０・・・居室親機
【図１】
2011030121.tif 000003
【図２】
2011030121.tif 000004